(57)【要約】【課題】繰出の上昇限まで達した後に、先筒と基筒とが離脱しない棒状化粧材繰出容器を提供する。【解決手段】棒状化粧材αが内挿される先筒１０と、先筒に回転自在に組み付けられる基筒２０と、基筒の内周に一体化して同期回転し、内周にメネジ４３が螺刻されたメネジ筒４０と、オネジ３５を外周に形成し、先筒１０と基筒２０との相対回転で棒状化粧材αを進退させる芯チャック部材３０とを備える棒状化粧材繰出容器であって、芯チャック部材３０が先筒に設けたストッパー部１９に当接した後に、更なる回動負荷がメネジ筒４０にかかった場合に、メネジ筒４０の周の一部を切断して形成された切断部４７が拡開し、メネジ４３はオネジ３５に対し螺合解除と螺合復帰とを繰り返す。【選択図】図１
2012161463.tif 000002
【特許請求の範囲】
【請求項１】
先端に先端開口孔が形成され、棒状化粧材が内挿される先筒と、
前記先筒に回転自在に組み付けられる基筒と、
前記基筒の内周に一体化して同期回転し、内周にメネジが螺刻されたメネジ筒と、
前記メネジと螺合するオネジが外周に形成され、前記先筒と前記基筒との相対回転によって前記棒状化粧材を進退させる芯チャック部材とを備える棒状化粧材繰出容器であって、
前記先筒は、内周に前記芯チャック部材の繰出の上昇限を規定するストッパー部を備え、
前記メネジ筒は、周の一部を切断して形成された切断部を備え、
前記芯チャック部材が前記ストッパー部に当接した後に、更なる回動負荷が前記メネジ筒にかかった場合に、前記メネジ筒の前記切断部が拡開し、前記メネジは前記オネジに対し螺合解除と螺合復帰とを繰り返すことを特徴とする棒状化粧材繰出容器。
【請求項２】
前記オネジは、前記メネジ筒の内径を拡げて前記メネジ筒の周の一部を切断する大径のオネジを備えることを特徴とする請求項１に記載の棒状化粧材繰出容器。
【請求項３】
前記切断部は、前記メネジ筒の周の一部に前記メネジ筒の他の部分より薄く形成された薄膜部と、前記薄膜部の内周に位置する前記メネジの一部とが切断される事によって形成されることを特徴とする請求項１または２に記載の棒状化粧材繰出容器。
【発明の詳細な説明】
【技術分野】
【０００１】
本発明は、棒状化粧材の繰出機構に関する。
【背景技術】
【０００２】
棒状化粧材繰出容器で、先筒と基筒とを回動自在に組み付け、基筒内にメネジ筒を一体化して、芯チャック部材の棒軸外周にオネジを設けて、オネジをメネジ筒のメネジに螺合させた繰出機構は、特許第２９０５８２５号公報に代表され、数多くの出願がなされている。
【先行技術文献】
【特許文献】
【０００３】
【特許文献１】特許第２９０５８２５号
【発明の開示】
【発明が解決しようとする課題】
【０００４】
特許文献１の繰出機構では、芯チャック部材と先筒とは同期の回転をする為、先筒の回動に沿って、棒状化粧材が進出する。
【０００５】
棒状化粧材のテクスチャーが柔らかい場合、繰出のリードは小さい方が、消費者にとって安全である。
【０００６】
しかしながら、特許文献１の構造では、繰出リードを小さくすると、芯チャック部材の棒軸のオネジと、メネジ筒の螺合力が強くなり、繰出の上昇限で更なる回動負荷がかかると、先筒と基筒の嵌合が簡単にはずれてしまう欠点がある為、ある程度繰出リードを大きくする必要があった。
【０００７】
本発明は、前記問題を解決し、小さな繰出しリードでも大きな繰出しリードでも選択自由な構造であるとともに、小さな繰出リードでも、繰出の上昇限で更なる回動負荷がかかっても、先筒と基筒の嵌合が離脱しない、安全な棒状化粧材繰出容器を提供する事を目的とする。
【課題を解決するための手段】
【０００８】
本発明は、先端に先端開口孔が形成され、棒状化粧材が内挿される先筒と、先筒に回転自在に組み付けられる基筒と、基筒の内周に一体化して同期回転し、内周にメネジが螺刻されたメネジ筒と、メネジと螺合するオネジが外周に形成され、先筒と基筒との相対回転によって棒状化粧材を進退させる芯チャック部材とを備える棒状化粧材繰出容器であって、先筒は、内周に芯チャック部材の繰出の上昇限を規定するストッパー部を備え、メネジ筒は、周の一部を切断して形成された切断部を備え、芯チャック部材がストッパー部に当接した後に、更なる回動負荷がメネジ筒にかかった場合に、メネジ筒の切断部が拡開し、メネジはオネジに対し螺合解除と螺合復帰を繰り返す。
【発明の効果】
【０００９】
本発明によれば、先筒の内周に設けた上昇限を規定するストッパー部に芯チャック部材が当接した後に、更なる回動負荷がかかると、メネジ筒のメネジと芯チャック部材の棒軸外周に形成されたオネジとは、切断部を拡開する事で、螺合解除と螺合復帰を繰り返し、その螺合力を逃がす。そのため繰出リードが小さくとも、先筒と基筒との離脱を防止することができ、その際、パチパチと音を出して使用者に繰出の上昇限である事を知らせることができる。
【図面の簡単な説明】
【００１０】
【図１】本発明の第１の実施の形態に係る棒状化粧材繰出容器の縦一部断面図で、（Ａ）が棒状化粧材の繰下の下降限、（Ｂ）は棒状化粧材の繰出の上昇限において（Ａ）に記載の棒状化粧材繰出容器を中心軸周りに９０度回転させた状態の縦一部断面図である。
【図２】棒状化粧材繰出容器の各部材を示す図で、（Ｃ）が先筒、（Ｄ）が基筒、（Ｅ）が芯チャック部材、（Ｇ）がメネジ筒を図示している。
【図３】（Ｆ）は、第１の実施の形態の変形例である芯チャック部材を示しており、（Ｆ’）は芯チャック部材におけるＵ拡大図である。
【図４】メネジ筒を詳細に説明した図である。（Ｇ’）はメネジ筒の斜視図、斜視図におけるＰ矢視図、Ｓ拡大図、及びＣ−Ｃ断面図である。（Ｇ’’）は、図４（Ｇ’）におけるメネジ筒の側面からの斜視図、及び斜視図におけるＤ−Ｄ断面図である。
【図５】本発明の第２の実施の形態に係る棒状化粧材繰出容器の縦一部断面図であり、（Ｈ）が繰下の下降限、（Ｉ）は繰出の上昇限において、（Ｈ）に記載の棒状化粧材繰出容器を中心軸周りに９０度回転させた状態の縦一部断面図である。
【図６】棒状化粧材繰出容器の各部材を示す図で、（Ｊ）が先筒、（Ｋ）が芯チャック部材を図示している。
【発明を実施するための形態】
【００１１】
(第１の実施の形態)
以下、図面を参照しながら、本発明の第１の実施の形態に係る化粧材繰出容器について説明する。
【００１２】
図１〜図４までが第１の実施の形態の図面であり、図１は、棒状化粧材繰出容器１の縦一部断面図で、（Ａ）が棒状化粧材の繰下の下降限、（Ｂ）が棒状化粧材の繰出の上昇限を示している。
【００１３】
図２は、棒状化粧材繰出容器１の各部材を示す図で、（Ｃ）が先筒１０、（Ｄ）が基筒２０、（Ｅ）が芯チャック部材３０を図示し、芯チャック部材３０の下部にメネジ筒４０が示され、先筒１０、基筒２０、芯チャック部材３０、メネジ筒４０で棒状化粧材繰出容器１は構成される。
【００１４】
図４は、メネジ筒４０を詳細に説明した図である。
【００１５】
各部材を詳細に説明する。
【００１６】
（Ｃ）先筒１０は、棒状化粧材αが出入りする先端開口孔１１を備えるとともに、芯チャック部材３０の保持部３２が摺動する貫通孔１２と、係合突起３１が摺動する係合溝１３とを内周に形成し、外周は軸方向に摘部１４と、基筒２０内周に嵌入する嵌入部１５とにより構成される。嵌入部１５には、基筒２０に回動自在に嵌合する嵌合凸部１８が設けられる。
【００１７】
また、係合溝１３は、繰出ストロークエンドに、内側へ突出する下向段部が形成され、この下向段部がストッパー部１９となる。
【００１８】
（Ｄ）基筒２０は、内周に底面２３を有する円筒形状で形成され、内周の先端開口孔２１付近には嵌合凹部２２が設けられる。嵌合凹部２２に先筒１０の嵌合凸部１８が嵌着することで、基筒２０と先筒１０とは相対的に回動自在となる。
【００１９】
又、基筒２０は、嵌合凹部２２よりも底面２３側にローレット２４が設けられている。底面２３側のローレット２４の端部に内側に突出する段部２５が設けられている。段部２５には、後述するメネジ筒４０の上部円筒部４５ａが載置するとともに、ローレット２４によって、基筒２０とメネジ筒４０は一体化される。
【００２０】
（Ｅ）芯チャック部材３０は、先端に棒状化粧材αを保持する保持部３２が円筒形に設けられ、この保持部３２外周には係合突起３１が突設される。又、保持部３２から延設される棒軸３４外周には、ストローク長のオネジ３５が螺刻される。
【００２１】
この実施の形態においては、オネジ３５は凸条として棒軸３４に列状に設置されている。このオネジ３５は、繰出リードが更に小さくなる場合には、円周上に連続して螺刻されてもよい。
【００２２】
上記記載については、詳しく後述する。
【００２３】
図２（Ｇ）はメネジ筒４０を示し、メネジ筒４０は詳しくは図４に拡大図で示される。メネジ筒４０は図４（Ｇ’）と（Ｇ’’）とで示す如く、軸方向に上部円筒部４５ａと下部円筒部４５ｂとが形成され、メネジ４３は、上部円筒部４５ａの内周面４５ａａに設けられる。
【００２４】
又、この上部円筒部４５ａの外周壁４８には、縦リブ４１ａ、４１ｂおよび４１ｃが突設される。縦リブ４１ａ、４１ｂおよび４１ｃは、基筒２０内周のローレット２４に係合するとともに段部２５に載置される。
【００２５】
図４（Ｇ’）拡大図のＰ矢視図およびＳ拡大図で示される如く、メネジ筒４０は円筒形状に形成され、周の一部にクサビ状の切断部４７が設けられる。切断部４７は、メネジ筒４０の他の部分より薄く形成された薄膜部４７ａと、薄膜部４７ａに位置するメネジ４３の一部とが切断されて形成されることを特徴とし、上部円筒部４５ａの切断部４７と同軸方向に下部円筒部４５ｂではスリット４２が穿設されている。
【００２６】
図３（Ｆ）と（Ｆ’）はこの実施の形態の変形例である芯チャック部材３０’を示す図で、芯チャック部材３０’は保持部３２’の下端にあたる部分の棒軸３４’の大径のオネジ３５ａ’が、通常のストロークするオネジ３５’の外形寸法より大きい外形寸法で螺刻されている事を特徴としている。
【００２７】
つまり、図３（Ｆ）の芯チャック部材３０’は、保持部３２’から延設される大径のオネジ３５ａ’が、通常ストロークするオネジ３５’より外径寸法が大きく設定されているものを特徴としている。
【００２８】
メネジ筒４０の切断部４７の薄膜部４７ａと、メネジ４３の一部とが切断されていない状態で芯チャック部材３０’の棒軸３４’のオネジ３５’にメネジ４３を螺合させて、繰下の下降限まで芯チャック部材３０’を進めると、メネジ筒４０のメネジ４３は、大径のオネジ３５ａ’に螺合する。そして、更なる回動負荷を芯チャック部材３０’またはメネジ筒４０にかける事によってメネジ筒４０の内径を拡げ、切断部４７を切断することを特徴とするものである。大径のオネジ３５ａ’は、繰下の下降限となる箇所に限られることはなく、繰出の上昇限となる箇所などに設けてもよい。
【００２９】
この実施の形態においては、メネジ筒４０は、軸方向に、内周にメネジ４３が形成された上部円筒部４５ａと、下部円筒部４５ｂとして形成されているが、メネジ筒４０の形態は、この形に限るものではなく、上部円筒部４５ａのみでも良く、プラスチックの射出成形時に離型の際、薄膜部４７ａを自動で割ってもよく、又、薄膜部４７ａを特別の治具に通して、後加工しても良く、メネジ筒４０の形は種々の変更が考えられる。
【００３０】
棒状化粧材繰出容器１は、以下の手順で組み立てられる。
【００３１】
芯チャック部材３０の棒軸３４の外周に螺刻されたオネジ３５をメネジ筒４０の上部円筒部４５ａ内のメネジ４３に螺合させる。
【００３２】
芯チャック部材３０に組み付けられたメネジ筒４０を基筒２０内に内挿する。
【００３３】
メネジ筒４０の縦リブ４１ａ、４１ｂおよび４１ｃをローレット２４に係合するとともに、段部２５に載置することで、メネジ筒４０と基筒２０とは一体化する。
【００３４】
先筒１０の下端面１７の貫通孔１２と係合溝１３とにあわせて、芯チャック部材３０の保持部３２と係合突起３１とを挿入した状態で、先筒１０の嵌入部１５を基筒２０の先端開口孔２１より挿入し、嵌合凸部１８と嵌合凹部２２とを嵌着することで棒状化粧材の組み付けが完了する。
【００３５】
図１の（Ａ）および（Ｂ）を用いて実施の形態の作動を説明する。
【００３６】
図１の（Ａ）は棒状化粧材繰出容器１の繰下の下降限を示す図で、先筒１０と基筒２０とを繰出方向へ回転すると、芯チャック部材３０の係合突起３１は、先筒１０内周に設けた係合溝１３に係合して芯チャック部材３０が先筒１０に対して相対的に回転することを防止する回転止め機構を構成し、棒軸３４外周のオネジ３５は、メネジ筒４０内のメネジ４３に螺合して芯チャック部材３０を繰り出す繰出機構を構成する。メネジ筒４０と基筒２０とは一体化されているので、繰出機構が働くと保持部３２に嵌着している棒状化粧材αは、メネジ筒４０のメネジ４３のリードに従って、先筒１０の先端開口孔１１より進出して化粧を可能とする。
【００３７】
図１の（Ｂ）は棒状化粧材繰出容器１の繰出の上昇限を示す図で、芯チャック部材３０の係合突起３１は、先筒１０の係合溝１３に係合している。係合溝１３の先端にはストッパー部１９が形成されており、芯チャック部材３０の係合突起３１の上端部３１ａがストッパー部１９に当接した位置が繰出の上昇限の位置となる。
【００３８】
芯チャック部材３０の係合突起３１がストッパー部１９に当接した後に、先筒１０と基筒２０とを相対的に回動させると、棒軸３４の外周に形成されたオネジ３５とメネジ筒４０のメネジ４３の螺合が、メネジ筒４０の周の一部に形成された切断部４７が拡開する事で、螺合解除と螺合復帰とを繰返す。螺合解除と螺合復帰とが繰り返されることでパチパチと音を発して、繰出の上昇限である事を音または振動で使用者に知らせる。
【００３９】
オネジ３５とメネジ４３との螺合は、メネジ筒４０の周の一部の切断部４７が拡開する事で螺合力を弱める。従来の如く、繰出リードが小さいために、繰出の上昇限で更なる回動負荷がかかった時、螺合力のために先筒１０と基筒２０が離脱してしまう事故を防止できる。
【００４０】
又、メネジ筒４０の内周に形成されたメネジ４３は、切断部４７が形成されても、接触した状態で形成される為、芯チャック部材３０の棒軸３４外周に形成されたオネジ３５は突起でも凸条でも良い。また繰出リードは小さいものから大きいもの迄、自由に選択できる。
【００４１】
この実施の形態では、先筒１０の貫通孔１２に沿って穿設された係合溝１３のストッパー部１９と、芯チャック部材３０の保持部３２外周より突設された係合突起３１の上端部３１ａとの当接をもって、芯チャック部材３０、つまり棒状化粧材αの繰出の上昇限を規定したがこれに限らず、保持部３２の円周上の天面３２ａの一部を使用して繰出の上昇限を規定しても良い。芯チャック部材３０の繰出の上昇限を規定する方法は種々の変更が考えられる。
【００４２】
又、オネジ３５とメネジ４３との螺合離脱および螺合復帰は、上昇限に限らず、繰下の下降限でも繰り返され、上昇限と同様に音または振動によって、使用者に下降限である事を知らせる。
【００４３】
第１の実施の形態の効果について説明する。
【００４４】
メネジ筒４０に切断部４７を設けることで、芯チャック部材３０の係合突起３１が先筒１０のストッパー部１９に当接した後に、更なる回動負荷がかかった場合に、芯チャック部材３０の棒軸３４に設けたオネジ３５が切断部４７を拡開する。これにより、メネジ筒４０のメネジ４３とオネジ３５との螺合解除と螺合復帰とが繰り返される。そのため、繰出リードが小さくても先筒１０と基筒２０との離脱を防止することができる。
【００４５】
メネジ４３とオネジ３５との螺合解除と螺合復帰とによって音が出るので、使用者に繰出の上昇限であることを知らせることができる。
【００４６】
ストッパー部１９に当接する係合突起３１を、芯チャック部材３０の保持部３２付近に設けることで、芯チャック部材３０をメネジ筒４０に螺合して芯チャック部材３０とメネジ筒４０とを組み付ける場合に、芯チャック部材３０の棒軸３４をメネジ筒４０に容易に組み付けることができる。
【００４７】
(第２の実施の形態)
図５〜図６は、第２の実施の形態を示す図で、図５は、棒状化粧材繰出容器１０１の縦一部断面図で、（Ｈ）繰下の下降限と（Ｉ）繰出の上昇限とを示す。図６は、棒状化粧材繰出容器１０１に使用される（Ｊ）先筒１１０と（Ｋ）芯チャック部材１３０とを示す。基筒２０とメネジ筒４０は、第１の実施の形態と同じ部材が使用されている。
【００４８】
第２の実施の形態においては、第１の実施の形態との異なる部材、及び用途のみに言及して説明する。
【００４９】
図６の（Ｊ）先筒１１０は、棒状化粧材βが進退する先端開口孔１１１を備え、先筒１１０の内周には、貫通孔１１２と、この貫通孔１１２に沿って摺動溝１１３ａと係合溝１１３が穿設される。
【００５０】
（Ｋ）芯チャック部材１３０は、先端に棒状化粧材βを保持する爪片１３３が一対設置され、この爪片１３３を結ぶ線に対して９０度方向に係合突起１３１が突設される。
【００５１】
爪片１３３は、先筒１１０内周に設けた摺動溝１１３ａに摺動するとともに、係合突起１３１は、係合溝１１３に係合しつつ摺動する。芯チャック部材１３０は、ストッパー部１１９に係合突起１３１の上端面１３１ａが当接する位置が繰出の上昇限として規定される。
【００５２】
繰出の上昇限で更なる回動負荷がかかると、メネジ筒４０の切断部４７が拡開して、芯チャック部材１３０の棒軸１３４の表面に設けたオネジ１３５とメネジ筒４０のメネジ４３との螺合が、解除と復帰を繰り返す事で音を発生するとともに、螺合力を弱め、先筒１１０と基筒２０の離脱を防止している。
【００５３】
第２の実施の形態は、棒状化粧材βの保持を爪片１３３で行い、この爪片１３３は、一対で棒状化粧材βを保持し、爪片１３３が摺動する摺動溝１１３ａと係合突起１３１が摺動する係合溝１１３とを別に設けて、係合突起１３１の上端面１３１ａが、係合溝１１３に設けたストッパー部１１９に当接する位置を、繰出の上昇限として規定しているが、ストッパー部は、これに限るものではなく、例えば爪片１３３を４片とし、摺動溝１１３ａにストッパー部を設け、これに、爪片１３３の上端部を当接させて繰出の上昇限としても良い。メネジ筒４０の切断部４７が繰出の上昇限で拡開する事で、オネジ１３５とメネジ４３の螺合力が弱まる事で種々の変更が考えられる。
【００５４】
この実施の形態においても、第１の実施の形態と同様の効果を得ることができる。
【符号の説明】
【００５５】
α・・・・・棒状化粧材
１・・・・・棒状化粧材繰出容器
１０・・・・先筒
１１・・・・先端開口孔
１２・・・・貫通孔
１３・・・・係合溝
２０・・・・基筒
３０・・・・芯チャック部材
３１・・・・係合突起
３２・・・・保持部
３４・・・・棒軸
３５・・・・オネジ
３５ａ’・・大径のオネジ
４０・・・・メネジ筒
４３・・・・メネジ
４７・・・・切断部
１０１・・・棒状化粧材繰出容器
１１１・・・先端開口孔
１１２・・・貫通孔
１１３・・・係合溝
１１３ａ・・摺動溝
１１０・・・先筒
１３０・・・芯チャック部材
１３１・・・係合突起
１３１ａ・・上端面
１３３・・・爪片
１３４・・・棒軸
１３５・・・オネジ
１１９・・・ストッパー部
【図１】
2012161463.tif 000003
【図２】
2012161463.tif 000004
【図３】
2012161463.tif 000005
【図４】
2012161463.tif 000006
【図５】
2012161463.tif 000007
【図６】
2012161463.tif 000008